(57)【要約】【課題】表面にテラゾーブロックなどの仕上げ材が敷設される床構造の改修作業を短期間で施工可能とし、かつ、仕上げ材にひび割れが生じるのを防止する。【解決手段】テラゾーブロック及び層状の貧調合モルタル４０の少なくとも上部を撤去し、貧調合モルタル４０を撤去した部分に新たに貧調合モルタル６０を敷き、新たに敷いた貧調合モルタル６０の上方にセルフレベリング材７０を流し込み、セルフレベリング材７０の上方にモルタル９０、９１によりテラゾーブロック１００を張り付ける。この際、セルフレベリング材７０の上部に網状の樹脂からなり、表裏面に起毛を有する立毛布帛８０を介在させる。【選択図】図２Ｆ
2011052489.tif 000002
【特許請求の範囲】
【請求項１】
貧調合モルタル層の上方に、セルフレベリング材を流し込むことにより、又は、モルタルを打設することによりレベリング層を形成し、
前記レベリング層の上面に仕上げ材を張り付ける床構造の構築方法であって、
前記レベリング層の内部又は上部に多数の孔を有するシート状又は網状のひび割れ防止材を設けることを特徴とする床構造の構築方法。
【請求項２】
前記ひび割れ防止材は、その上下面に立毛を有することを特徴とする請求項１記載の床構造の構築方法。
【請求項３】
請求項２記載の床構造の構築方法であって、
前記ひび割れ防止材は、前記レベリング層の上部に設けられ、
上面の立毛が前記仕上げ材を張り付けるための張付材に、下面の立毛が前記レベリング層にそれぞれ埋没されていることを特徴とする床構造の構築方法。
【請求項４】
請求項１から３のうち何れか１項に記載の床構造の構築方法であって、
前記貧調合モルタル層を構成する貧調合モルタルとして速硬性のものを用いることを特徴とする床構造の構築方法。
【請求項５】
請求項１から４のうち何れか１項に記載の床構造の構築方法であって、
前記貧調合モルタル層を構成する貧調合モルタルを打設した後、前記貧調合モルタル上に硬化促進剤又は急結剤を散布することを特徴とする床構造の構築方法。
【請求項６】
請求項１から５のうち何れか１項に記載の床構造の構築方法であって、
前記レベリング層を構成するモルタル又はセルフレベリング材として速硬性のもの、又は、硬化促進剤又は急結剤を混入したものを用いることを特徴とする床構造の構築方法。
【請求項７】
貧調合モルタル層と、前記貧調合モルタル層の上方に流し込まれたセルフレベリング材又は前記貧調合モルタル層の上方に打設されたモルタルからなるレベリング層と、前記レベリング層の上面に張り付けられた仕上げ材とを備えた床構造であって、
前記レベリング層の内部又は上部に多数の孔を有するシート状又は網状のひび割れ防止材が設けられていることを特徴とする床構造。
【請求項８】
貧調合モルタル層の上部に張り付けられた仕上げ材を備えた床構造を、
前記仕上げ材及び前記貧調合モルタル層の少なくとも上部を撤去し、
前記貧調合モルタル層を撤去した部分に新たに貧調合モルタルを敷設し、
前記新たに敷設した貧調合モルタルの上方に、モルタルを打設し、又は、セルフレベリング材を流し込むことによりレベリング層を形成し、
前記レベリング層の上方に仕上げ材を張り付けることにより改修する方法であって、
前記レベリング層の内部又は上部に多数の孔を有するシート状又は網状のひび割れ防止材を設けることを特徴とする床構造の改修方法。
【発明の詳細な説明】
【技術分野】
【０００１】
本発明は、上面にタイル等が敷設される床構造及びその構築方法、改修方法に関する。
【背景技術】
【０００２】
従来より、躯体上に層状に打設されたコンクリートからなる下地コンクリートと、下地コンクリート上に設けられたモルタル層と、このモルタル層上に設けられたテラゾーブロック、石材、又はタイルなどの仕上げ材とを備えた床構造が用いられている。かかる床構造を全面改修する場合には、以下のように行っていた。
ＳＴＥＰ１：既存仕上げ材及びモルタルを撤去する。
ＳＴＥＰ２：厚さ調整のためのシンダーコンクリートを打設する。
ＳＴＥＰ３：シンダーコンクリート上に張付モルタルを塗布するとともに、仕上げ材の裏面に張付モルタルを塗布して、タイルを圧着する。
なお、シンダーコンクリートにはひび割れ防止用の目地を設け、目地部にはシール材を充填しておく。
【０００３】
また、例えば、特許文献１に記載されているように、下地コンクリートの上方に貧調合モルタル（バサモルタル）を層状に敷き、貧調合モルタルの上部にセルフレベリング材を流布する方法を適用することが考えられる。かかる方法によれば、セルフレベリング材の流動性により水平な床面を形成することができる。
【先行技術文献】
【特許文献】
【０００４】
【特許文献１】特公７―６８７５７号公報
【発明の概要】
【発明が解決しようとする課題】
【０００５】
ところで、このような改修作業を行う場合には、施工区域を一時的に閉鎖する必要がある。このため、特に商業施設などにおいて改修作業を行う場合には、短期間で改修作業が完了することが望まれる。
【０００６】
このため、特許文献１記載の方法において、貧調合モルタルの養生期間を短縮してセルフレベリング材を流し込むことや、セルフレベリング材の養生期間を短縮してタイルの張付作業を行うことが考えられる。しかし、このように養生期間を短縮すると、セルフレベリング材や貧調合モルタルに生じた収縮が仕上げ材まで伝達され、仕上げ材のひび割れの原因となる。
【０００７】
本発明は、上記の問題に鑑みなされたものであり、その目的は、表面にテラゾーブロックなどの仕上げ材が敷設される床構造の改修作業を短期間で施工可能とし、かつ、仕上げ材にひび割れが生じるのを防止することである。
【課題を解決するための手段】
【０００８】
本発明の床構造の構築方法は、貧調合モルタル層の上方に、セルフレベリング材を流し込むことにより、又は、モルタルを打設することによりレベリング層を形成し、前記レベリング層の上面に仕上げ材を張り付ける床構造の構築方法であって、前記レベリング層の内部又は上部に多数の孔を有するシート状又は網状のひび割れ防止材を設けることを特徴とする。
【０００９】
上記の構築方法において、前記ひび割れ防止材は、その上下面に立毛を有してもよく、この場合、前記ひび割れ防止材は、前記レベリング層の上部に設けられ、上面の立毛が前記仕上げ材を張り付けるための張付材に、下面の立毛が前記レベリング層にそれぞれ埋没されていてもよい。
なお、前記張付材としては、モルタルや接着剤を用いることができる。
【００１０】
また、前記貧調合モルタル層を構成する貧調合モルタルとして速硬性のものを用いてもよく、前記貧調合モルタル層を構成する貧調合モルタルを打設した後、前記貧調合モルタル上に硬化促進剤又は急結剤を散布してもよい。また、前記レベリング層を構成するモルタル又はセルフレベリング材として速硬性のもの、又は、硬化促進剤又は急結剤を混入したものを用いてもよい。
【００１１】
また、本発明の床構造は、貧調合モルタル層と、前記貧調合モルタル層の上方に流し込まれたセルフレベリング材又は前記貧調合モルタル層の上方に打設されたモルタルからなるレベリング層と、前記レベリング層の上面に張り付けられた仕上げ材とを備えた床構造であって、前記レベリング層の内部又は上部に多数の孔を有するシート状又は網状のひび割れ防止材が設けられていることを特徴とする。
【００１２】
また、本発明の床構造の改修方法は、貧調合モルタル層の上部に張り付けられた仕上げ材を備えた床構造を、前記仕上げ材及び前記貧調合モルタル層の少なくとも上部を撤去し、前記貧調合モルタル層を撤去した部分に新たに貧調合モルタルを敷設し、前記新たに敷設した貧調合モルタルの上方に、モルタルを打設し、又は、セルフレベリング材を流し込むことによりレベリング層を形成し、前記レベリング層の上方に仕上げ材を張り付けることにより改修する方法であって、前記レベリング層の内部又は上部に多数の孔を有するシート状又は網状のひび割れ防止材を設けることを特徴とする。
【発明の効果】
【００１３】
本発明によれば、貧調合モルタルあるいはレベリング層が乾燥収縮しても、レベリング層の上部又は内部に設けられたひび割れ防止材が、この乾燥収縮に伴う引張応力を負担あるいは分散するため、張付モルタルや仕上げ材にひび割れや剥離が生じるのを防止できる。このため、貧調合モルタルやセルフレベリング材又はモルタルの養生期間を短縮することができ、施工期間を短縮できる。
【図面の簡単な説明】
【００１４】
【図１】本実施形態において改修の対象となる既存の床構造を示す鉛直断面図である。
【図２Ａ】床構造の改修方法を説明するための鉛直断面図（その１）である。
【図２Ｂ】床構造の改修方法を説明するための鉛直断面図（その２）である。
【図２Ｃ】床構造の改修方法を説明するための鉛直断面図（その３）である。
【図２Ｄ】床構造の改修方法を説明するための鉛直断面図（その４）である。
【図２Ｅ】床構造の改修方法を説明するための鉛直断面図（その５）である。
【図２Ｆ】床構造の改修方法を説明するための鉛直断面図（その６）である。
【図３】立毛布帛を示し、（Ａ）は斜視図、（Ｂ）は鉛直断面図である。
【発明を実施するための形態】
【００１５】
以下、本発明の床構造の構築方法の一実施形態を、既存の床構造を改修する場合を例として説明する。
図１は、本実施形態において改修の対象となる既存の床構造１０を示す鉛直断面図である。同図に示すように、既存の床構造１０は、建物の躯体を構成するコンクリートスラブ２０上に打設された下地コンクリート３０と、下地コンクリート３０の上部に設けられた下地となる層状の貧調合モルタル４０と、貧調合モルタル４０の上部に敷設されたテラゾーブロック５０とにより構成される。なお、本実施形態において、貧調合モルタルとは、セメントと砂など細骨材との容積比率が、例えば、１：３〜５程度であるモルタルをいう。
【００１６】
以下、かかる床構造１０の改修方法を説明する。
図２Ａ〜図２Ｆは、床構造１０の改修方法を説明するための鉛直断面図である。
まず、図２Ａに示すように、既存のテラゾーブロック５０を撤去するとともに、貧調合モルタル４０の上部を除去する。なお、既存の貧調合モルタル４０を除去する際には、劣化の生じている部分は除去するものの、劣化の生じていない部分を極力残すようにする。
【００１７】
次に、図２Ｂに示すように、貧調合モルタル４０を撤去した箇所に、その上面が仕上げレベルよりも３０ｍｍ程度下方となるように新たに貧調合モルタル６０を敷く。この際、貧調合モルタル６０としては、例えば、太平洋マテリアル株式会社製の「Ｆａｃｅｔ」等の硬化促進剤や急結剤が混入されたものなどの、速硬性を有するものを用いるとよい。そして、打設した貧調合モルタル６０の上面を角材などにより平坦に整え、３０分〜６０分程度養生する。また、貧調合モルタル６０の上部に急結剤あるいは硬化促進剤を散布するとよい。これにより、貧調合モルタル６０の硬化が促進される。
【００１８】
次に、図２Ｃに示すように、貧調合モルタル６０の上部にセルフレベリング材７０を１０ｍｍ程度流し込む。セルフレベリング材７０は、流動性を有するため、その自重により上面が水平になる。なお、セルフレベリング材７０としては、速硬性を有するセメント系のものが好適であり、例えば、宇部興産株式会社製の「タフレベラーＧ」などを用いることができる。また、太平洋マテリアル株式会社製の「Ｆａｃｅｔ」等の硬化促進剤や急結剤を加えたものを用いても良い。
【００１９】
次に、図２Ｄに示すように、立毛布帛８０をセルフレベリング材７０の上部に敷設し、こてなどにより押し付ける。図３は、立毛布帛８０を示し、（Ａ）は斜視図、（Ｂ）は鉛直断面図である。同図に示すように、立毛布帛８０は、ポリプロピレンやナイロンなどの樹脂からなり、網状を呈する布帛本体８１と、布帛本体８１の表裏面に形成されたループ状の立毛８２とにより構成される。布帛本体８１は、上記のように樹脂により構成され、網状を呈しているため、貧調合モルタル６０やセルフレベリング材７０に比べて伸縮性を有する。なお、このような立毛布帛８０としては、株式会社内外テクノスのインターネット工法（登録商標）に用いられるインターネット（登録商標）を用いることができる。
【００２０】
上記のようにこてにより立毛布帛８０をセルフレベリング材７０に押し付けることで、立毛布帛８０の下面に設けられた立毛８２をセルフレベリング材７０内に埋没させる。また、セルフレベリング材７０が布帛本体８１の網目を通ることで、布帛本体８１もセルフレベリング材７０の上部に部分的に埋没する。なお、セルフレベリング材７０の表面は高精度で水平となっており、凹凸がないため、立毛布帛８０とセルフレベリング材７０との間に空隙が生じるのを防ぐことができる。
上記のように、立毛布帛８０をセルフレベリング材７０に押し付けた後、２〜２．５時間程度養生する。
【００２１】
なお、例えば、商業施設などの床構造の改修作業を行う場合には、日中には床構造上を通行人が往来できることが望まれる。このため、上記図２Ａ〜図２Ｄを参照して説明した工程を初日に行う。そして、改修範囲外の既存テラゾーブロックとの段差を、カーペットをひくなどの方法により養生する。これにより、日中はこの養生した部分を通行人が往来することが可能となる。
【００２２】
次に、図２Ｅに示すように、改良圧着工方によりテラゾーブロック１００の張り付け作業を行う。すなわち、まず、張付モルタル９０をセルフレベリング材７０の上部に立毛布帛８０を覆うように打設する。そして、各テラゾーブロック１００の下面に張付モルタル９１を塗りつけ、張付モルタル９０に押し付ける。この際、例えば、約３ｍピッチで縦横に目地を設けておく。
そして、図２Ｆに示すように、テラゾーブロック１００の目地にシーリング１１０を施すことにより、改修が完了して、新たな床構造２００が構築される。
【００２３】
このようにして構築された床構造２００によれば、張付モルタル９０とセルフレベリング材７０との間に伸縮性を有する立毛布帛８０が介在するため、貧調合モルタル６０やセルフレベリング材７０に収縮を生じても、立毛布帛８０がこの乾燥収縮に伴う引張応力を負担あるいは分散するため、張付モルタル９０やテラゾーブロック１００にひび割れは剥離が生じるのを防止できる。
【００２４】
また、立毛布帛８０の上下面の立毛８２がそれぞれセルフレベリング材７０及び張付モルタル９０に埋入されているため、セルフレベリング材７０と張付モルタル９０との付着を確保できる。また、布帛本体８１が網状を呈しているため、セルフレベリング材７０と張付モルタル９０とが完全に縁切りされるわけではなく、網目を通して一体となるため、両者間の付着を確保できる。
【００２５】
また、本実施形態によれば、コンクリートを打設することなく改修を行うことができるため、養生期間を短縮することができる。このため、施工期間を短縮することが可能となり、改修工事による閉鎖期間を短縮することができる。
【００２６】
また、貧調合モルタル６０やセルフレベリング材７０に収縮が生じても、上記のように、張付モルタル９０やテラゾーブロック１００にひび割れが生じるのを防止できるため、貧調合モルタル６０やセルフレベリング材７０の養生期間を短縮できる。さらに、貧調合モルタル６０やセルフレベリング材７０に速硬性のものを用いているため、床下地の構築作業の工期を短縮することができる、
【００２７】
また、既存の床構造１０のテラゾーブロック１００及び貧調合モルタル６０の上部のみを除去するため、除去作業の工期を短縮することができるとともに、除去作業により発生する産業廃棄物が削減できるため、処分費を削減できる。また、既存の床構造１０の上部のみを除去するため、工事により発生する振動及び騒音を低減することができる。
【００２８】
なお、本実施形態では、床上面にテラゾーブロック１００を張り付ける場合について説明したが、これに限らず、石材やタイルなど張付モルタルにより張り付け可能な部材を用いる場合に適用できる。また、本実施形態では、テラゾーブロック１００を張付モルタルにより張り付けているが、これに限らず、接着剤により張り付けてもよい。
【００２９】
また、本実施形態では、セルフレベリング材７０の上部に立毛布帛８０を配置したが、これに限らず、貧調合モルタル６０の内部に立毛布帛８０を設けてもよい。
また、本実施形態では、貧調合モルタル６０の上方にセルフレベリング材７０を流し込むこととしたが、これに代えて、流動性が高く、自重により表面が平滑な状態となる無収縮調合モルタルなどのモルタルを用いてもよい。
【００３０】
また、本実施形態では、下地となる貧調合モルタル４０の上部のみを撤去したがこれに限らず、下地コンクリート３０まで撤去してもよい。
また、本実施形態では、貧調合モルタル４０及びセルフレベリング材７０として速硬性のものが用いられているが、速硬性のものに限らず、通常のものを用いることもできる。
【００３１】
また、本実施形態では、両面に立毛８２を有する立毛布帛８０を用いたが、これに限らず、型面にのみ立毛８２を有する立毛布帛８０を用いてもよいし、表裏面に立毛を有さない布帛を用いてもよい。また、立毛布帛８２に代えて、表面に多数の孔を有する、ガラス繊維やカーボン繊維などからなるシート材や網材などを用いてもよい。
【００３２】
また、本実施形態では、既存の床構造１０を改修する場合について説明したが、これに限らず、新たに床構造を構築する場合にも本発明を適用できる。かかる場合には、下地となる貧調合モルタル上にセルフレベリング材を流し込み、このセルフレベリング材の上部に張付モルタルによりテラゾーブロック１００を張り付ける際に、セルフレベリング材の上部又は貧調合モルタルの上部に立毛布帛を設ければよい。
【符号の説明】
【００３３】
１０  床構造                            ２０  コンクリートスラブ
３０  下地コンクリート                  ４０  貧調合モルタル
５０  テラゾーブロック                  ６０  貧調合モルタル
７０  セルフレベリング材                ８０  立毛布帛
８１  布帛本体                          ８２  立毛
９０、９１  張付モルタル                １００  テラゾーブロック
１１０  シーリング                      ２００  床構造
【図１】
2011052489.tif 000003
【図２Ａ】
2011052489.tif 000004
【図２Ｂ】
2011052489.tif 000005
【図２Ｃ】
2011052489.tif 000006
【図２Ｄ】
2011052489.tif 000007
【図２Ｅ】
2011052489.tif 000008
【図２Ｆ】
2011052489.tif 000009
【図３】
2011052489.tif 000010